(57)【要約】      （修正有）【課題】エレベータの内壁の部材に鉄板などが使用されていない場合であっても、貼り付けたり剥がしたりを繰り返して行うことができるエレベータ内壁用保護材を提供する。【解決手段】エレベータ内壁用保護材１は、エレベータの内壁に貼り着けられる保護材であって、該保護材は、表皮層２と粘着層３を備えることを特徴とする。さらに粘着層３は、アクリル系樹脂を含有するのが好ましく、表皮層２及び／又は粘着層３は、防炎剤を含有するのが好ましい。【選択図】図１
0003209797.tif 000002
【実用新案登録請求の範囲】
【請求項１】
エレベータの内壁に貼り着けられる保護材であって、
該保護材は、表皮層と粘着層を備えることを特徴とするエレベータ内壁用保護材。
【請求項２】
前記粘着層は、アクリル系樹脂を含有する請求項１に記載のエレベータ内壁用保護材。
【請求項３】
前記表皮層及び／又は前記粘着層は、防炎剤を含有する請求項１または２に記載のエレベータ内壁用保護材。
【請求項４】
前記表皮層は、カーペット、ニードルパンチ不織布、樹脂シート、織物、編物からなる群から選らばれる１もしくは複数の表皮層である請求項１〜３に記載のエレベータ内壁用保護材。
【考案の詳細な説明】
【技術分野】
【０００１】
本考案は、エレベータ内壁用保護材に関する。
【背景技術】
【０００２】
建築物等に広く普及しているエレベータは、人をはじめ荷物の運搬になくてはならないものであり、日々多用されている。また、各種補修やリノベーション工事に伴う資材の搬入や廃材の搬出、引っ越し等による什器・備品、家財等の搬出入等の際に、エレベータ内で内壁への接触や衝突のよる損傷を予防するためにマット等を内壁に取付けることが行われている。
【０００３】
そして、このようなマットをエレベータの内壁に取り付けるために、マットの裏面に多数の取付け用の磁石を固着させ、この磁石によりエレベータの内壁に取り付けることが公知である（例えば特許文献１）。また、板状芯材、クッション材、ニードルパンチ不織布及び表皮層が積層され、裏面の外周部に磁石が貼りつけられたエレベータの内壁防護・装飾材が公知である（例えば特許文献２）。
【０００４】
しかしながら、磁石は重量が重いばかりでなく、コスト増を免れないし、エレベータの内壁の部材に鉄板などが使用されていない場合は、鉄板等を何らかの方法でエレベータの内壁面に固着する必要があった。
【先行技術文献】
【特許文献】
【０００５】
【特許文献１】特開２０１１−１０５４６４号公報
【特許文献２】実用新案登録第３１３８３０９公報
【考案の概要】
【考案が解決しようとする課題】
【０００６】
本考案は、かかる技術的背景に鑑みてなされたものであって、エレベータの内壁の部材に鉄板などが使用されていない場合であっても、貼り付けたり剥がしたりを繰り返して行うことができるエレベータ内壁用保護材を提供することを目的とする。
【課題を解決するための手段】
【０００７】
上記目的を達成するために、本考案は以下の手段を提供する。
【０００８】
[１] エレベータの内壁に貼り着けられる保護材であって、
該保護材は、表皮層と粘着層を備えることを特徴とするエレベータ内壁用保護材。
【０００９】
[２] 前記粘着層は、アクリル系樹脂を含有する前項１に記載のエレベータ内壁用保護材。
【００１０】
[３] 前記表皮層及び／又は前記粘着層は、防炎剤を含有する前項１または２に記載のエレベータ内壁用保護材。
【００１１】
[４] 前記表皮層は、カーペット、ニードルパンチ不織布、樹脂シート、織物、編物からなる群から選らばれる１もしくは複数の表皮層である前項１〜３に記載のエレベータ内壁用保護材。
【考案の効果】
【００１２】
[１]の考案において、保護材は表皮層を備えているので、エレベータが人をはじめ荷物の運搬に利用される際に、エレベータ内で内壁への接触や衝突のよる損傷を十分に予防又は緩和することができる。さらに粘着層を備えているので、エレベータの内壁の部材に鉄板などが使用されていない場合であっても、磁石を用いることなくエレベータ内壁に貼り付けることができ、保持することができる。
【００１３】
[２]の考案において、粘着層はアクリル系樹脂を含有するので、十分な粘着力を発揮することができる。
【００１４】
[３]の考案において、表皮層及び／又は前記粘着層は防炎剤を含有しているので、消防法に規定の防炎性能を満たすことができる。
【００１５】
[４]の考案において、前記表皮層は、カーペット、ニードルパンチ不織布、樹脂シート、織物、編物からなる群から選らばれる１もしくは複数の表皮層であるので、エレベータ内壁の損傷を十分に予防することができるばかりでなく、エレベータ内に意匠、品位、質感を付与することができる。
【図面の簡単な説明】
【００１６】
【図１】本考案に係るエレベータ内壁用保護材の一実施形態を示す断面図である。
【図２】本考案に係るエレベータ内壁用保護材の一実施形態を示す平面図（裏面）である。
【図３】本考案に係るエレベータ内壁用保護材の別の一実施形態を示す平面図（裏面）である。
【図４】本考案に係るエレベータ内壁用保護材の使用例を示す説明図である。
【考案を実施するための形態】
【００１７】
本考案に係るエレベータ内壁用保護材の一実施形態を示す断面図を図１に示す。エレベータ内壁用保護材（１）は、エレベータの内壁に貼り着けられる保護材であって、保護材（１）は、表皮層（２）と粘着層（３）を備えることを特徴とする。
【００１８】
本考案の表皮層（２）としては、特に限定されないが、例えばカーペット、ニードルパンチ不織布、樹脂シート、織物、編物を挙げることができ、これらの群から選らばれる１もしくは複数の表皮層が好ましい。
【００１９】
前記カーペットは、パイル糸と基布とからなり、パイル糸の素材としては特に限定されず、ポリエステル繊維、ポリアミド繊維、ポリプロピレン繊維、アクリル繊維、レーヨン繊維等の合成繊維からなるもの等を好適に使用でき、その他麻、綿、羊毛等の天然繊維からなるもの等も使用できる。前記パイル糸の形態としは、ループパイル、カットパイル、ル−プパイルとカットパイルの組合せを挙げることができる。また、パイル糸の目付は２００〜２，０００ｇ／ｍ２に設定するのが好ましい。２００ｇ／ｍ２未満ではカ−ペットとしての品位の劣ったものとなり、好ましくない。また、２，０００ｇ／ｍ２を超えると徒に重量が増すばかりで好ましくない。より好ましくは２５０〜１，５００ｇ／ｍ２である。この範囲にすることで、さらに品位と重量のバランスをよくすることができる。前記基布としては、特に限定されるものではなく、ポリエステル繊維やポリプロピレン繊維、麻、綿等の天然繊維からなる織、編基布、不織布等通常使用される基布を挙げることができる。
【００２０】
前記ニードルパンチ不織布は、目付が１００ｇ／ｍ２〜１，０００ｇ／ｍ２が好ましい。目付が１００ｇ／ｍ２未満では、衝撃力緩和の点で劣るおそれがあるので好ましくない。逆に目付が１，０００ｇ／ｍ２を越えても徒に重量が増すことになるので好ましくない。前記ニードルパンチ不織布の構成する繊維としては、合成繊維が好ましく、例えば、アクリル繊維、ポリアミド繊維、ポリエステル繊維、ポリプロピレン繊維を挙げることができる。また、これらを組み合わせてもよい。
【００２１】
前記樹脂シートとしては、熱可塑性樹脂をシート状又はフィルム状に形成したもので、熱可塑性樹脂を、高温に加熱し、例えばＴ−ダイ押出機を用いてフィルム状に押出すことでシートを形成することができる。なお、このシートは１層であっても複数の層からなってもよく、強度や重さ、可撓性等の点から適宜決めればよい。熱可塑性樹脂としては特に限定されないが、例えば、塩化ビニル系樹脂、ポリオレフィン系樹脂、ポリエチレン系樹脂、ポリスチレン系樹脂を挙げることができる。なかでも、比較的安価であって、可塑剤の添加等により柔軟性を付与、調整できることから、塩化ビニル系樹脂が好ましい。
【００２２】
前記織物としては、特に限定されない。前記組織としては平織、斜文織、朱子織及びこれらの変化組織を挙げることができる。
【００２３】
前記編物としては、特に限定されず、デンビー編み、アトラス編み、コード編み、鎖編などの経編、平編み、ゴム編み、パール編みなどの緯編み等を挙げることができる。
【００２４】
前記織物も前記編物の素材も特に限定されないが、ポリエステル繊維、ポリアミド繊維、ポリプロピレン繊維、アクリル繊維、レーヨン繊維等の合成繊維からなるもの等を好適に使用でき、その他麻、綿、羊毛等の天然繊維からなるもの等も使用できる。
【００２５】
なお、前記素材は防炎性を有するまたは付与されているのが好ましい。合成繊維では、原料樹脂ペレットに防炎剤を練込むことで防炎繊維にすることもできる。天然繊維は糸の形態で防炎処理を施してもよいし、カーペット、ニードルパンチ不織布、織物、編物等の形態で防炎剤を含む処理液中に浸漬又は、防炎剤を含む樹脂をスプレー、ローラー、又はドクターナイフにより塗布することで防炎処理を施してもよい。合成繊維も同様に糸の形態、または表皮層の形態で防炎処理を施してもよい。樹脂シートの場合は、防炎剤を練り込むのが好ましい。
【００２６】
本考案の粘着層（３）としては、粘着剤組成物からなるのが好ましく、粘着剤組成物を構成する粘着剤として、非架橋アクリル系粘着剤、非架橋シリコーン系粘着剤を挙げることができるが、なかでも非架橋アクリル系粘着剤が好ましい。また、前記粘着剤組成物に、例えば、アクリル系樹脂、エチレン‐酢酸ビニル共重合体樹脂（ＥＶＡ）、塩化ビニル系樹脂を含有するのが好ましい。なかでもアクリル系樹脂を含有するのが好ましい。
【００２７】
さらに、粘着層（３）は、防炎剤を含有させてもよい。エレベータ内壁用保護材（１）としては、防炎剤が表皮層（２）及び／又は粘着層（３）に含有しているのが好ましい。粘着層（３）の場合は、粘着層（３）に防炎剤を混合、分散させればよい。
【００２８】
防炎剤としては表皮層（２）、粘着層（３）に適宜合せて処理しやすいものを選定すればよく、公知の防炎剤を用いることができ、リン系化合物、ハロゲン系化合物、金属水酸化物等を挙げることができる。前記リン系化合物としては有機リン酸エステル系、前記ハロゲン系化合物としてはデカブロモジフェニルエーテル、ヘキサブロムベンゼン等を挙げることができる。また、前記金属水酸化物としては、水酸化アルミニウム、水酸化マグネシウム等を挙げることができる。
【００２９】
粘着層（３）は、表皮層の裏面側に備わればよく、さらには表皮層が積層された基材の裏面側に備わってもよい。前記基材としては、例えば、サーマルボンド、ケミカルボンド、スパンボンド等の不織布、フェルト等を挙げることができる。
【００３０】
粘着層（３）の形成パターンとしては、図２の円形状、図３の縦縞状、及びこれらの変形例として楕円状、斜めストライプなど挙げることができるが、幾何学的な形成パターン限らず、任意のパターンでよい。形成パターンの面積としては、３０％〜１００％の範囲が好ましく、より好ましくは５０％〜９９％である。
【００３１】
また、粘着層（３）を形成するには、特に限定されないが粘着剤組成物の水性エマルジョンを２倍〜３倍に発泡させて表皮層の裏面や基材の裏面に塗布すればよい。塗布後は常法により乾燥、キュアさせればよい。この場合、加熱温度としては１００℃〜１３５℃が好ましく、時間は２分〜４分が好ましい。なお、この範囲に発泡させることで、粘着層（３）はさらに優れた粘着性を発揮するとともに、粘着層（３）の材料破壊を抑制することができる。塗布方法としては特に限定されず、ロールコータ法、ナイフコータ法、スクリーンプリント法、転写法等を例示できる。なかでも扱い易く、粘着層（３）の形成パターンをコントロールし易いことからナイフコータ法又はスクリーンプリント法が好ましい。
【００３２】
前記粘着剤組成物水性エマルジョンの塗布量（固形分）は、６０ｇ／ｍ２〜２８０ｇ／ｍ２範囲が好ましい。６０ｇ／ｍ２未満では、十分な粘着力を発揮しない恐れがあり好ましくなく、２８０ｇ／ｍ２を越えても塗布量の増加に見合う粘着量の増加を期待できずに徒に重たくなるので好ましくない。さらに好ましくは１６０ｇ／ｍ２〜２６０ｇ／ｍ２範囲である。この範囲にすることでさらに安定した粘着力を発揮する。
【実施例】
【００３３】
次に、本考案の具体的な実施例について説明するが、本考案はこれらのものに限定されるものではない。
【００３４】
＜実施例１＞
表皮層としてニードルパンチ不織布（ポリプロピレン繊維、目付３８０ｇ／ｍ２、厚さ３ｍｍ）を用意した。このニードルパンチ不織布の裏面に、ＳＢＲ（スチレン‐ブタジエンーラバー）樹脂ラテックス（水酸化アルミニウム１３０部と、炭酸カルシウム１３０部を混合）をロールコータで塗布し、温度１４０℃で５分間乾燥・キュアを施し、防炎処理が施された表皮層を得た。塗布量は６３０ｇ／ｍ２（乾燥重量）であった。
続いて、防炎処理が施された面に、機械発泡により２．５倍発泡したアクリル樹脂をナイフコータにより粘着層の占める面積は９５％になるように帯状に塗布し粘着層を積層し、温度１３０℃で６分間熱風乾燥機により乾燥・キュアを施し、最後に粘着層の保護のために離形フィルムを積層した。粘着層の塗布量は２４５ｇ／ｍ２（乾燥重量）であった。得られたエレベータ内壁用保護材の壁面粘着性評価を行った。結果は「○」で合格であった。
【００３５】
＜実施例２＞
表皮層としてタフテッドカーペット（ウール、目付７８０ｇ／ｍ２、厚さ５ｍｍ）を用いた以外は実施例１と同様にしてエレベータ内壁用保護材を得た。壁面粘着性評価は「○」で合格であった。
【００３６】
＜比較例１＞
実施例１において、粘着層を塗布する前の、防炎処理が施された表皮層の壁面粘着性評価を行った。結果は「×」で不合格であった。
【００３７】
＜壁面粘着性評価＞
エレベータ内壁用保護材（大きさ：タテ１８０ｃｍ×ヨコ５９ｃｍ）の粘着面を壁面に押し当て貼付け、２週間経過後の状態を目視で観察し、下記の基準で評価した。「○」を合格とした。
「○」：剥がれが認められない。
「△」：一部剥がれが認められる。
「×」：剥がれて脱落若しくは貼り付かなかった。
【産業上の利用可能性】
【００３８】
本考案のエレベータ内壁用保護材は、エレベータ内で内壁への接触や衝突のよる損傷を予防等に有効である。
【符号の説明】
【００３９】
１・・・エレベータ内壁用保護材
２・・・表皮層
３・・・粘着層
４・・・エレベータ内壁
【図１】
0003209797.tif 000003
【図２】
0003209797.tif 000004
【図３】
0003209797.tif 000005
【図４】
0003209797.tif 000006